(57)【要約】      （修正有）【課題】２灯用ラピッドスタート式シーケンス形安定器を内蔵する既存の蛍光灯器具に、何らの変更を加えることもなく、即使用できる蛍光灯型２灯用ＬＥＤ照明灯を提供する。【解決手段】蛍光灯型ＬＥＤ照明灯の両端に配設される各口金に一対の端子ピンをそれぞれ配設し、両端の各端子ピンの一方にそれぞれダイオードブリッジの一方を接続し、両ダイオードブリッジの＋ラインと−ライン間にＬＥＤ群を接続し、両端の各端子ピンの他方をそれぞれ前記各ダイオードブリッジの他方に接続して成る蛍光灯型ＬＥＤ照明灯において、一方のダイオードブリッジ３に接続される前記一方の端子ピン１ａと、他方のダイオードブリッジ４に接続される一方の端子ピン２ａとを接続する電気回路に、微放電電流と同等の疑似電流を生成するコンデンサＣｘを介在させる。【選択図】図１
0003150634.tif 000002
【実用新案登録請求の範囲】
【請求項１】
蛍光灯型ＬＥＤ照明灯の両端に配設される各口金に一対の端子ピンをそれぞれ配設し、両端の各端子ピンの一方にそれぞれダイオードブリッジの一方を接続し、両ダイオードブリッジの＋ラインと−ライン間にＬＥＤ群を接続し、両端の各端子ピンの他方をそれぞれ前記各ダイオードブリッジの他方に接続して成る蛍光灯型ＬＥＤ照明灯において、
一方のダイオードブリッジに接続される前記一方の端子ピンと、他方のダイオードブリッジに接続される一方の端子ピンとを接続する電気回路に、微放電電流と同等の疑似電流を生成するコンデンサを介在させて成り、２灯用ラピッドスタート式シーケンス形安定器を内蔵した蛍光灯器具に使用されることを特徴とする蛍光灯型２灯用ＬＥＤ照明灯。
【考案の詳細な説明】
【技術分野】
【０００１】  本考案は、ＬＥＤ（発光ダイオード）を用いた蛍光灯型照明灯に関し、詳しくは２灯用ラピッドスタート式シーケンス形安定器を内蔵した蛍光灯器具に使用される蛍光灯型照明灯の分野に属する。
【背景技術】
【０００２】  一般的に蛍光灯用の照明器具として提供されている、グロースタータ式蛍光灯器具やインバータ式蛍光灯器具或はラピッドスタート式蛍光灯器具に対しても支障なく、何れの蛍光灯器具にも対応できるとするＬＥＤ照明灯が、特開２００８−２７７１８８号公報（特許文献１）に提案されているが、該特許文献１に開示された技術では、２灯用ラピッドスタート式シーケンス形安定器を内蔵した蛍光灯器具に対しては、微放電電流に見合う電流を生成する機能がないためにシーケンスが成立せず、前記安定器内の電圧をバランスさせることが難しく、点灯が困難となるおそれがある。
【先行技術文献】
【特許文献】
【０００３】
【特許文献１】特開２００８−２７７１８８号公報
【考案の概要】
【考案が解決しようとする課題】
【０００４】  本考案は、上記に鑑みて、２灯用ラピッドスタート式シーケンス形安定器を内蔵する既存の蛍光灯器具に、何らの変更を加えることもなく、即使用できる蛍光灯型２灯用ＬＥＤ照明灯を提供するものである。
【課題を解決するための手段】
【０００５】  本考案の請求項１に記載した蛍光灯型２灯用ＬＥＤ照明灯は、蛍光灯型ＬＥＤ照明灯の両端に配設される各口金に一対の端子ピンをそれぞれ配設し、両端の各端子ピンの一方にそれぞれダイオードブリッジの一方を接続し、両ダイオードブリッジの＋ラインと−ライン間にＬＥＤ群を接続し、両端の各端子ピンの他方をそれぞれ前記各ダイオードブリッジの他方に接続して成る蛍光灯型ＬＥＤ照明灯において、
一方のダイオードブリッジに接続される前記一方の端子ピンと、他方のダイオードブリッジに接続される一方の端子ピンとを接続する電気回路に、微放電電流と同等の疑似電流を生成するコンデンサを介在させて成る。
【考案の効果】
【０００６】  本考案の蛍光灯型２灯用ＬＥＤ照明灯は、ＬＥＤ照明の電気回路に微放電電流に相当する疑似電流を生成できるコンデンサを内蔵するから、２灯用ラピッドスタート式シーケンス形安定器を内蔵する既存の蛍光灯器具にそのまま即使用できる効果がある。そのため、簡易に現状の照度を経済的に改善できる上、寿命の大幅な延命による経済効果も齎され、さらには、ＬＥＤ製造分野の活性化にも資するものである。
【図面の簡単な説明】
【０００７】
【図１】本考案の蛍光灯型２灯用ＬＥＤ照明灯Ａの基本的な電気回路の説明図。
【図２】蛍光灯型２灯用ＬＥＤ照明灯Ａの縦断面説明図。
【図３】蛍光灯器具（図外）に内蔵される２灯用ラピッドスタート式シーケンス形安定器に蛍光灯型２灯用ＬＥＤ照明灯Ａ１、Ａ２を接続したときの説明用電気回路図。
【考案を実施するための形態】
【０００８】  本考案の蛍光灯型２灯用ＬＥＤ照明灯（以下、単に本ＬＥＤ照明灯とする。）Ａを実施例により説明すると、図１に示すように、左右両端の各口金１、２に配設されるそれぞれ一対の端子ピン１ａ、１ｂ及び２ａ、２ｂにおいて、各上方の端子ピン１ａ、２ａがそれぞれ左右のダイオードブリッジ３、４の一方に接続され、下方の各端子ピン１ｂ、２ｂは前記各ダイオードブリッジ３、４の他方に接続され、さらに、ダイオードブリッジ３、４の＋ライン５と−ライン６間には、図２に示すように、透光性で合成樹脂製の円筒管７に配設される支持基板８において、２段３列の６回路に渡って計３２４個のＬＥＤ（発光ダイオード）９から成るＬＥＤ群が配設され、かつ、両上方の端子ピン１ａ、２ａを結ぶ回路には微放電電流に相当する疑似電流を生成できる静電容量が０，０４７マイクロファラッドのコンデンサＣｘを介在させて成る。
【０００９】このようにして成る本ＬＥＤ照明灯Ａは、既存の蛍光灯器具のソケット（図外）に接合され、点灯スイッチ（図外）を入れると、図３に示すように、２灯用ラピッドスタート式シーケンス形安定器Ｓでは、電極１０、１１間に電源電圧が加えられ、コイルＣ、Ｄ、Ｅのコイル電圧によってフィラメントの予熱に要する電流と同等の電流が両ダイオードブリッジ３、４によって直流に変換され、点灯の準備状態となる。同時に、コイルＡ、Ｂで昇圧された約２９０Ｖの２次電圧が、進相用コンデンサＣｍ及び始動用コンデンサＣｓを介して本ＬＥＤ照明灯Ａ２に印加される。すると、本ＬＥＤ照明灯Ａ２は内蔵するコンデンサＣｘにより、微放電電流と同等の疑似電流を生成する。この疑似電流により高インピーダンスの始動用コンデンサＣｓに高い電圧降下が生じ、この電圧が本ＬＥＤ照明灯Ａ１に印加され、同様に本ＬＥＤ照明灯Ａ１に内蔵するコンデンサＣｘにより微放電電流に相当する疑似電流が生成され、２灯の本ＬＥＤ照明灯Ａ１、Ａ２が疑似電流を生成すると、ＬＥＤ群のインピーダンスが急激に低下し、始動用コンデンサＣｓのインピーダンスより著しく小さくなるため、２灯の本ＬＥＤ照明灯Ａ１、Ａ２は直列回路になり、正常な点灯状態となる。
以上のように、蛍光管におけるフィラメントによる放電がなくても、コンデンサＣｘにより微放電電流に見合う疑似電流が生成されるため、本来は蛍光灯用としての２灯用ラピッドスタート式シーケンス形安定器Ｓでありながら、これに正常なシーケンス動作を成立させ、２灯の本ＬＥＤ照明灯を点灯できるのである。なお、本考案は、コンデンサＣｘの静電容量を０，０４７に限定するものではない。
【産業上の利用可能性】
【００１０】  本考案の技術は、既存の２灯用の蛍光灯器具にそのまま使用できるから、簡易に現状の照度を改善できる上、寿命の大幅な延命による経済的な利益を齎すものであり、使用者側における需要増大が期待されるものであるほか、ＬＥＤ製造分野の活性化の一助ともなる。
【符号の説明】
【００１１】１  口金
１ａ、１ｂ  端子ピン
２  口金
２ａ、２ｂ  端子ピン
３、４  ダイオードブリッジ
５  ＋ライン
６  −ライン
７  円筒管
８  支持基板
９  ＬＥＤ
１０、１１  電極
Ｃｘ  コンデンサ
Ｓ  ２灯用ラピッドスタート式シーケンス形安定器
Ａ  蛍光灯型２灯用ＬＥＤ照明灯
【図１】
0003150634.tif 000003
【図２】
0003150634.tif 000004
【図３】
0003150634.tif 000005